(57)【要約】      （修正有）【課題】災害時等の長時間の停電による心理的な不安を解消するため、現在使用しているシーリングライト（天井吊下げ式照明器具）に外部電源を供給して部屋全体を明るく照らすことのできる電源アダプターを提供する。【解決手段】既存の天井１２と既存のシーリングライト１４の間に電源アダプター１３を接続し、この電源アダプター１３の切り替えスイッチ５により商用電力と外部電源装置の電力を切り替え、シーリングライト１４を点灯させる。既存の天井１２、電源アダプター１３、既存のシーリングライト１４の吊下げには既存の引掛シーリング（コンセント）を利用する。外部電源装置は発電機、蓄電器、バッテリー（インバータが必要）などの電力を利用する。商用電力の復旧または外部電源装置の電力供給による感電や火災を防止するために電源アダプター１３の切り替えスイッチ５により確実に切り替え、絶縁する。【選択図】図２
0003234276.tif 000002
【実用新案登録請求の範囲】
【請求項１】
引掛シーリングキャップ（４），アダプター本体（３），引掛シーリングボディ（６），電源用ケーブル（７），電源プラグ（８），切り替えスイッチ（５）から構成された電源アダプターはアダプター本体（３）の上部に引掛シーリングキャップ（４），アダプター本体（３）に切り替えスイッチ（５）と電源プラグ（８）が接続された電源ケーブル（７），アダプター本体（３）の下部に引掛シーリングボディ（６）が接続された形状を有し、
アダプター本体（３）の上部の引掛シーリングキャップ（４）は天井（１）にある既存のシーリングボディ（２）に接続されアダプター本体（３）を天井から吊り下げ、
アダプター本体（３）に付いた切り替えスイッチ（５）はアダプター本体（３）の上部に付いた引掛けシーリングキャップ（４）と電源プラグ（８）の接続された電源ケーブル（７）とアダプター本体（３）下部の引掛シーリングボディ（６）と接続されアダプター本体（３）上部の引掛シーリングキャップ（４）と電源ケーブル（７）からの電力を切り替えアダプター本体（３）下部の引掛シーリングボディ（６）に電力を供給し、
アダプター本体（３）下部の引掛シーリングボディ（６）は既存のシーリングライト（天井吊下げ式照明器具）（１４）の上部のシーリングキャップ（１０）と接続され既存のシーリングライト（天井吊下げ式照明器具）（１４）を吊り下げ既存のシーリングライト（天井吊下げ式照明器具）（１４）に電力を供給し、
アダプタ―本体（３）の切り替えスイッチ（５）により商用電力と外部電力を切り替え既存のシーリングライト（天井吊下げ式照明器具）（１４）を点灯させることを特徴とする電源アダプター。
【考案の詳細な説明】
【技術分野】
【０００１】
本考案は既存のシーリングライト（天井吊下げ式照明器具）に後付けし外部電源を供給する電源アダプターに関するものである。
【背景技術】
【０００２】
従来、停電時においての非常灯は一般的に懐中電灯，ランタン，ろうそく等となります。また、バッテリー，発電機等を外部電源として使用しても非常灯にあたる照明器具はコンセント付近に装着することが多く部屋全体を明るく照らすことができなかった。
【０００３】
平常時の家庭生活を維持するにはシーリングライト（天井吊下げ式照明器具）下での照明が不可欠で、災害時等の長時間にわたる生活（非常時の生活）においても心理的な不安を解消させるためにはシーリングライト（天井吊下げ式照明器具）下で平常時の生活と同じ明るさの照明が求められた。
【先行技術文献】
【特許文献】
【０００４】
【特許文献１】実登３２２６７７７号公報
【特許文献２】実登３２２８６１６号公報
【考案の概要】
【考案が解決しようとする課題】
【０００５】
災害時における長時間の停電において心理的な不安を解消させるためにシーリングライト（天井吊下げ式照明器具）による部屋全体の照明が求められ、簡便な器具によりシーリングライト（天井吊下げ式照明器具）への電力の供給を可能にすることを目的とする。
【課題を解決するための手段】
【０００６】
天井の引掛シーリングボディとシーリングライト（天井吊下げ式照明器具）の間に本考案品の電源アダプターをセットして停電時に電源アダプターの切り替えスイッチで入力電源を切り替えて外部電源の電力を供給することによりシーリングライト（天井吊下げ式照明器具）を点灯させる。
【０００７】
外部電源の電力の供給方法は電源アダプターより出ている電源コードが付いた電源プラグにバッテリー・発電機・蓄電器等の外部電源装置を接続して電力を供給する。（バッテリーとの接続の場合はインバータが必要）
【０００８】
電源アダプターと天井の接続は天井にある既存の引掛シーリングボディ（コンセントメス側）を利用して電源アダプターの引掛シーリングキャップ（コンセントオス側）に接続する。
【０００９】
電源アダプターとシーリングライト（天井吊下げ式照明器具）との接続はシーリングライト（天井吊下げ式照明器具）の引掛シーリングキャップ（コンセントオス側）を電源アダプターの引掛シーリングボディ（コンセントメス側）に接続する。
【００１０】
電源アダプターより出ている電源コードに接続された電源プラグを外部電源装置であるバッテリー・発電機・蓄電器等に接続する。（バッテリーの場合はインバータが必要で電源プラグの接続はインバータとなります）
【００１１】
電力の供給切り替えは電源アダプターの切り替えスイッチにより行なう。
【００１２】
電源アダプターは外部電源装置の電力供給時における火災等の防止と感電を防止するためおよび停電解消時に外部電源と商用電力との短絡を防止するために切り替えスイッチを設け、この切り替えスイッチにより商用電力と外部電源装置の電力を確実に切り替え通電しないように絶縁する。
【考案の効果】
【００１３】
電源アダプターは天井とシーリングライト（天井吊下げ式照明器具）共に既存の引掛シーリング（コンセント）を利用するため取り付けには工具等の必要がなく容易に接続が可能となる。
【００１４】
外部電源装置の電力を利用する事により現在使用中のシーリングライト（天井吊下げ式照明器具）の機能が容易に確保できる。
【００１５】
シーリングライト（天井吊下げ式照明器具）の高さが大きく変わらないことにより部屋全体の明るさは平常時の明るさとほぼ同等の明るさが確保できる。
【００１６】
天井とシーリングライト（天井吊下げ式照明器具）の間に常時接続されている電源アダプターは停電時に電源アダプターの切り替えスイッチで電力の供給元を切り替え電源コードを外部電源に接続するだけで容易に使用できる。
【００１７】
天井に付いている引掛シーリングボディと電源アダプターは切り替えスイッチにより絶縁しているので地震や水害での停電においても他の家電品等の出火，ショート，感電の心配が無く外部電源装置の電力を供給して使用できる。
【図面の簡単な説明】
【００１８】
【図１】電源アダプターのブロック図
【図２】電源アダプターの接続全体図
【図３】電源アダプターの単体図
【図４】切り替えスイッチの接続図
【考案を実施するための形態】
【００１９】
電源アダプター１３と天井１との接合方法は、ネジ止めや吊り下げ金具を使用する方法も考えられるが工具等を使用することなく容易に取り外しが出来るように考慮し地震等による器具の揺れによる心理的な不安が起こらないようにする必要があるため既存の引掛けシーリングのシーリングボディ２を利用する。
【００２０】
電源アダプター１３と天井１との接合部には引掛シーリング（コンセント）を使用しているが天井１にある既存の引掛シーリングボディ２の形状（接合部以外の外形）が各家庭でまちまちなため電源アダプター１３の上側外周部に此れを吸収させるための機構（必要に応じてスポンジ等を貼り付ける）をもうけ天井部１２と電源アダプター１３を密着させ揺れないようにする必要がある。
【００２１】
電源アダプター１３と既存のシーリングライト（天井吊下げ式照明器具）１４の接合部にも引掛シーリングを使用しているが既存のシーリングライト（天井吊下げ式照明器具）１４と電源アダプター１３の接地面が既存のシーリングライト（天井吊下げ式照明器具）１４ごとに異なるため電源アダプター１３下側の外周部に此れを吸収させるための機構（必要に応じてスポンジ等を貼り付ける）をもうけ電源アダプター１３と既存のシーリングライト（天井吊下げ式照明器具）１４を密着させ揺れないようにする必要がある。
【００２２】
天井１の引掛けシーリングボディ２は通常時に家庭用の商用電力が供給されているため電源アダプター１３の切り替えスイッチ５により電力の供給元を切り替え、通常時には天井１のシーリングボディ２からの商用電力を供給し、停電時には電源プラグ８の付いた電源コード７からの外部電力を供給する様に切り替えスイッチ５により電力の供給を切り替え既存のシーリングライト（天井吊下げ式照明器具）１４の接続される引掛シーリングボディ６に電力を供給する。また、商用電力と外部電力は切り替えスイッチ５により確実に絶縁して停電復旧時または外部電源装置の電力を供給した時における感電や電気の逆流による他の家電品の火災を防ぐ必要がある。
【００２３】
電源アダプター１３からシーリングライト（天井吊下げ式照明器具）１４を点灯させるにあたり外部電源装置の電力を供給させるための電源アダプター１３より出されている電源プラグ８は外部電源装置にあたる機器（発電機・蓄電器・バッテリー＋インバータ）のコンセントに合わせる必要がある。
【００２４】
電源ケーブル７は電源アダプター本体３に接続される切り替えスイッチ５と直接接続する方法と電源アダプター本体３にコンセントを設けこのコンセントと切り替えスイッチ５を接続しコンセントと電源ケーブル７を接続する分離方法または電源ケーブル７を巻き取りリールにより電源アダプター本体３に収納する方法が考えられるが、災害時等に使用する事を目的としているので部品点数を少なくするため巻き取りリール等を使わずに直接切り替えスイッチ５に接続する方法で接続する。
【００２５】
災害時等に使用する事を目的としているので電源ケーブル７と電源プラグ８を電源アダプター本体３の側面にある電源ケーブル収納部9に束ねて収納できるようにし災害時に速やかに使用できるようにする必要がある。
【符号の説明】
【００２６】
１  既存の天井
２  天井側の既存の引掛シーリングボディ（コンセントメス側）
３  電源アダプター本体
４  天井接続部品の引掛シーリンクキャップ（コンセントオス側）
５  切り替えスイッチ
６  シーリングライト（天井吊下げ式照明器具）接続部品の引掛シーリングボディ（コンセントメス側）
７  電源ケーブル
８  電源プラグ
９  電源ケーブル収納部
１０  既存のシーリングライト（天井吊下げ式照明器具）の接続用の引掛シーリングキャップ（コンセントオス側）
１１  既存のシーリングライト（天井吊下げ式照明器具）の電燈部
１２  既存の天井部
１３  本考案の電源アダプター
１４  既存のシーリングライト（天井吊下げ式照明器具）
【図１】
0003234276.tif 000003
【図２】
0003234276.tif 000004
【図３】
0003234276.tif 000005
【図４】
0003234276.tif 000006